(57)【要約】【課題】  冷凍装置及び空調冷凍装置においては、その室外機内部に、圧縮機、熱交換器及び送風機等が設置されている。これらの室外機を構成する要素において、圧縮機は特に大きな騒音を発するため騒音対策が必要とされている。【解決手段】  本発明の冷凍装置室外機において、図に示すように室外機内部を機械室とコンデンサ室に区画する隔壁は前記機械室の枠体に懸架された複数枚の吸音性を持つ板材により構成されることにより、防音効果の向上とメンテナンス等の作業を容易に行うことが可能となる。【選択図】図９
2007100985.tif 000002
【特許請求の範囲】
【請求項１】
熱交換器及び送風機を含むコンデンサ室と圧縮機を含む機械室を内部に持つ冷凍機室外機において、
前記コンデンサ室と前記機械室とを区画する隔壁は、
前記機械室の枠体に懸架された板材により構成されていることを特徴とする冷凍機室外機。
【請求項２】
前記板材を吸音性部材で構成することを特徴とする、請求項１記載の冷凍機室外機。
【請求項３】
前記板材の表面を吸音性部材で覆うことを特徴とする、請求項１記載の冷凍機室外機。
【請求項４】
熱交換器及び送風機を含むコンデンサ室と圧縮機を含む機械室を内部に持つ冷凍機室外機において、
前記コンデンサ室と前記機械室とを区画する隔壁は、
各々並設された複数枚の板材により構成されていることを特徴とする冷凍機室外機。
【請求項５】
前記板材を吸音性部材で構成することを特徴とする、請求項４記載の冷凍機室外機。
【請求項６】
前記板材の表面を吸音性部材で覆うことを特徴とする、請求項４記載の冷凍機室外機。
【発明の詳細な説明】
【技術分野】
【０００１】
本発明は、例えば店舗等において冷却貯蔵設備の庫内冷却または店舗室内の冷暖房を行うための冷凍装置の室外機に関するものである。
【背景技術】
【０００２】
従来、コンビニエンスストア等の店舗の店内は、空気調和機によって冷暖房空調されている。また、店内には商品を陳列販売する冷蔵或いは冷凍用のオープンショーケースや扉付きのショーケース（冷却貯蔵設備）が設置されており、これらは冷凍装置によって庫内冷却が行われている。このような店内空調と冷却貯蔵設備の庫内冷却とを行うことができる空調冷凍装置が知られている（特許文献１参照）。
【特許文献１】特開２００２−１７４４７０号公報
【発明の開示】
【発明が解決しようとする課題】
【０００３】
ところで、前記冷凍装置及び前記空調冷凍装置においては、その室外機内部に、圧縮機、熱交換器及び送風機等が設置されている。これらの室外機を構成する要素において、圧縮機は特に大きな騒音を発するため騒音対策が必要となる。
【０００４】
一方で、熱交換器及び送風機は外気と熱交換を行うために室外機外部と連通している必要があるため、圧縮機の発する騒音が室外機外部に漏れ出すという問題があった。そこで、冷凍装置の室外機は、圧縮機を有する機械室と熱交換器及び送風機を有するコンデンサ室に室外機内部を区画する隔壁を設け、圧縮機の騒音が外部に漏れ出すことを防止している。
【０００５】
しかし、圧縮機と熱交換器は冷媒管によって結合されており、機械室とコンデンサ室とを区画している隔壁はメンテナンスや冷媒管の配管作業等の際に妨げになるため、この隔壁の構造が重要となっている。
【０００６】
本発明は上記の事情に鑑みてなされたものであり、内部に隔壁を持つ室外機においてメンテナンス等の作業を容易に行なうことができる冷凍装置の室外機を提供することを目的としている。
【課題を解決するための手段】
【０００７】
本発明は熱交換器及び送風機を含むコンデンサ室と圧縮機を含む機械室を内部に持つ冷凍機室外機において、前記コンデンサ室と前記機械室とを区画する隔壁は、前記機械室の枠体に懸架された板材により構成されていることを特徴とする。
【０００８】
請求項２の発明の冷凍システムは、請求項１の発明において前記板材を吸音性部材で構成することを特徴とする。
【０００９】
請求項３の発明の冷凍システムは、請求項１の発明において前記板材の表面を吸音性部材で覆うことを特徴とする。
【００１０】
請求項４の発明の冷凍システムは、熱交換器及び送風機を含むコンデンサ室と圧縮機を含む機械室を内部に持つ冷凍機室外機において、前記コンデンサ室と前記機械室とを区画する隔壁は、各々並設された複数枚の板材により構成されていることを特徴とする。
【００１１】
請求項５の発明の冷凍システムは、請求項４の発明において前記板材を吸音性部材で構成することを特徴とする。
【００１２】
請求項６の発明の冷凍システムは、請求項４の発明において前記板材の表面を吸音性部材で覆うことを特徴とする。
【発明の効果】
【００１３】
本発明の冷凍装置室外機において、室外機内部を機械室とコンデンサ室に区画する隔壁は前記機械室の枠体に懸架された板材により構成されているため、メンテナンス等の作業を容易に行うことができる。さらに、前記板材を吸音性部材で構成することにより、前記隔壁の防音効果を向上させることができる。
【発明を実施するための最良の形態】
【００１４】
以下、図面に基づき本発明の実施形態を詳述する。図１は本発明の実施例に係る空調冷凍機のシステム構成を説明する図である。実施例の冷凍システム１は、例えばコンビニエンスストアの店内２の空調と、冷却所蔵設備として複数台の冷蔵ケース３の庫内や冷凍ケース４の庫内の冷却を実現するものである。
【００１５】
尚、実際のコンビニエンスストアなどでは冷蔵ケース３が複数台設置されているが、図面では第１と第２の冷蔵ケース３の２台のみを示す。また、これら冷蔵ケース３、冷凍ケース４は前面や上面が開口するオープンショーケースの他、透明ガラス扉にて開口が開閉自在に閉塞されたショーケースであり、各冷蔵ケース３の庫内は冷蔵温度（＋３℃〜＋１０℃）に冷却され、飲料やサンドイッチなどの冷蔵食品が陳列されると共に、冷凍ケース４の庫内は冷凍温度（−１０℃〜−２０℃）に冷却され、冷凍食品やアイスクリームなどの冷菓が陳列されるものである。
【００１６】
６は空調用冷媒回路７を備える空気調和機であり、８は前記冷蔵ケース３や冷凍ケース４の庫内を冷却するための冷却貯蔵設備用冷媒回路９を備えた冷却装置である。空気調和機６は店内２の天井などに設置された室内機１１と、店外に設置された室外ユニット１２とから構成され、これらの間にわたって空調用冷媒回路７が配管されている。
【００１７】
この空調用冷媒回路７は、室外ユニット１２の外装ケース内に設置された２台の圧縮機１３Ａ及び１３Ｂと逆止弁５Ａ及び５Ｂと、オイルセパレータ１０と、四方弁１４と、熱源側熱交換器１６と膨張弁１７、１８及び１９と、カスケード熱交換器２１と逆止弁２２、アキュームレータ２３などと、室内機１１側に設置された利用側熱交換器２７から構成されている。
【００１８】
２６は温度や圧力に基づいて空気調和機６の室外ユニット１２側の機器を制御するための室外機コントローラであり、室外ユニット１２に設けられている。また、２４は熱源側熱交換器１６に外気を通風するための送風機であり、室外ユニット１２内の熱源側熱交換器１６に対応する位置に設けられている。２８は温度や圧力に基づいて空気調和機６の室内機１１側の機器を制御するための室内機コントローラであり、室内機１１にそれぞれ設けられている。また、１５は利用側熱交換器２７に店内２の空気を通風するための送風機であり、室内機１１内の利用側熱交換器２７にそれぞれ対応する位置に設けられている。
【００１９】
圧縮機１３Ａ及び１３Ｂは相互に並列接続されており、各圧縮機１３Ａ及び１３Ｂの吐出側は逆止弁５Ａ及び５Ｂをそれぞれ介して合流され、オイルセパレータ１０を介して四方弁１４の一方の入口に接続されている。尚、逆止弁５Ａ及び５Ｂは四方弁１４方向が順方向とされている。また、四方弁１４の一方の出口は熱源側熱交換器１６の入口に接続されている。この熱源側熱交換器１６は多数の並列配管から成る流路抵抗の比較的小さい入口側１６Ａとこれらが少数の並列配管若しくは単数の配管に集約される出口側１６Ｂとで構成されている。そして、この熱源側熱交換器１６の出口側１６Ｂの出口は膨張弁１７を介して膨張弁１８の入口に接続され、膨張弁１８の出口は室内機１１へ渡った後に分岐し、各利用側熱交換器２７の入口に接続されている。
【００２０】
各利用側熱交換器２７の出口は合流した後、室外ユニット１２に渡り、四方弁１４の他方の入口に接続され、四方弁１４の他方の出口は逆止弁２２を介してアキュムレータ２３に接続されている。そして、このアキュムレータ２３の出口が圧縮機１３Ａ及び１３Ｂの吸込側に接続されている。尚、逆止弁２２はアキュムレータ２３側が順方向とされている。
【００２１】
また、膨張弁１７と１８の間の配管は膨張弁１９の入口に接続され、膨張弁１９の出口はカスケード熱交換器２１の空調側通路２１Ａの入口に接続されている。このカスケード熱交換器２１の空調側通路２１Ａの出口はアキュムレータ２３を介して圧縮機１３Ａ及び１３Ｂの吸込側に接続されている。
【００２２】
一方、冷却装置８は前記室外ユニット１２と店内２に設置された冷蔵ケース３及び冷凍ケース４との間に渡って冷却貯蔵設備用冷媒回路９が配管構成されている。この冷却貯蔵設備用冷媒回路９は、室外ユニット１２の外装ケース内に設置された第１の圧縮機３７と、凝縮器３８と、２つの四方弁３９及び４１と、逆止弁４２と、オイルセパレータ３１と、レシーバータンク３６等と、冷蔵ケース３に設置されて冷蔵ケース３の庫内をそれぞれ冷却する冷蔵用蒸発器４３、膨張弁４４、電磁弁４６及び４７、逆止弁４８と、冷凍ケース４に設置されて冷凍ケース４の庫内を冷却する冷凍用蒸発器４９、膨張弁５１、電磁弁５２及び５３、第２の圧縮機５４、逆止弁３０及びオイルセパレータ４５等から構成されている。
【００２３】
３２は温度や圧力に基づいて冷却装置８の室外ユニット１２側の機器を制御する冷凍機コントローラであり、室外ユニット１２に設けられている。また、３５は凝縮器３８に外気を通風するための送風機であり、室外ユニット１２の凝縮器３８に対応する位置に設けられている。また、５０は温度や圧力に基づいて冷蔵ケース３側の機器を制御する冷蔵ケースコントローラであり、冷蔵ケース３にそれぞれ設けられている。尚、この冷蔵ケースコントローラ５０と前記冷凍機コントローラ３２により本発明における制御装置が構成される。更に、５５は温度や圧力に基づいて冷凍ケース４側の機器を制御する冷凍ケースコントローラであり、冷凍ケース４に設けられている。
【００２４】
また、２０は冷蔵用蒸発器４３に各冷蔵ケース３の庫内冷気を通風するための送風機であり、冷蔵ケース３内の各冷蔵用蒸発器４３にそれぞれ対応する位置に設けられている。２５は冷凍用蒸発器４９に冷凍ケース４の庫内冷気を通風するための送風機であり、冷凍ケース４内の冷凍用蒸発器４９に対応する位置に設けられている。
【００２５】
圧縮機３７の吐出側はオイルセパレータ３１を介して四方弁３９の一方の入口に接続され、この四方弁３９の一方の出口が凝縮器３８の入口に接続されている。この凝縮器３８は多数の並列配管から成る流路抵抗の比較的小さい入口側３８Ａとこれらが少数の並列配管若しくは単数の配管に集約される出口側３８Ｂとで構成されている。そして、この凝縮器３８の出口側３８Ｂの出口はレシーバータンク３６の入口に接続され、このレシーバータンク３６の出口が四方弁４１の一方の入口に接続されている。
【００２６】
そして、四方弁４１の一方の出口はカスケード熱交換器２１のケース側通路２１Ｂの入口に接続されている。尚、カスケード熱交換器２１は、内部に構成された空調側通路２１Ａとケース側通路２１Ｂをそれぞれ通過する冷媒を相互に熱交換させるものであり、これによって空調用冷媒回路７の低圧側と冷却貯蔵設備用冷媒回路９の高圧側とは熱的に結合される。なお、空調側通路２１Ａとケース側通路２１Ｂをそれぞれ通過する冷媒の流れは対向流となっている。
【００２７】
カスケード熱交換器２１のケース側通路２１Ｂの出口は、四方弁３９の他方の入口に接続されており、この四方弁３９の他方の出口は四方弁４１の他方の入口に接続されている。そして、この四方弁４１の他方の出口は室外ユニット１２から出て店内２に入り分岐する。分岐した一方の配管は更に分岐し、その分岐した一方は電磁弁４７、４６を介して膨張弁４４の入口に接続され、膨張弁４４の出口は第１冷蔵ケース３の冷蔵用蒸発器４３の入口に接続されている。分岐した他方は電磁弁４６を介して膨張弁４４の入口に接続され、膨張弁４４の出口は第２冷蔵ケース３の冷蔵用蒸発器４３の入口に接続されている。
【００２８】
店内２に入って分岐した他方の配管は、電磁弁５２を介して膨張弁５１の入口に接続され、膨張弁５１の出口は冷凍用蒸発器４９の入口に接続されている。尚、電磁弁５３は電磁弁５２と膨張弁５１の直列回路に並列に、電磁弁５２の入口と膨張弁５１の出口を接続している。
【００２９】
冷凍用蒸発器４９の出口は、逆止弁３０を介して圧縮機５４の吸込側に接続されている。尚、逆止弁３０は圧縮機５４側が順方向とされている。この圧縮機５４は圧縮機３７よりも出力の小さい圧縮機であり、その吐出側はオイルセパレータ４５を介して圧縮機３７の吸込側に接続されている。即ち、圧縮機３７と圧縮機５４は冷媒回路上直列に接続される。尚、冷蔵用蒸発器４３の出口は合流した後、圧縮機５４の吐出側に配されたオイルセパレータ４５の出口側に接続されている。また、逆止弁４８は圧縮機５４の逆止弁３０手前と電磁弁４６、４７間に接続され、電磁弁４６、４７方向が順方向とされている。更に、逆止弁４２は圧縮機３７の吸込側とオイルセパレータ３１を出た配管の間に接続され、オイルセパレータ３１方向が順方向とされている。
【００３０】
図２は従来の室外ユニット１２の正面パネル及び左側のファンカバー等をはずした状態を示す斜視図である。室外ユニット１２は外装ケース内に、室内機１１と配管接続された空調用冷媒回路７を構成する空調構成部品及び熱交換器１６に外気を通風する送風機２４と、冷蔵ケース３及び冷凍ケース４と配管接続された冷却用冷媒回路９を構成する冷却構成部品及び凝縮器３８に外気を通風する送風機３５とが配置されている。
【００３１】
図３は室外ユニット１２の上面パネルを取り外した状態での平面図である。この室外ユニット１２においては、正面側から見てほぼ中央に隔壁６０により区画された機械室９１が設けられている。この機械室９１の左側に空調用送風機２４が設置され、同右側に冷却用送風機３５が設置される。
【００３２】
すなわち、この室外ユニット１２の内部空間を図３の破線Ｘを基準に左右に分割した際、その左側の空間に空調構成部品を集約し、同右側の空間に冷却構成部品を集約して配置するよう構成されている。
【００３３】
このように、空調構成部品と冷却構成部品とを左右に振り分けて配置することにより、室外ユニット１２の組み立てやメンテナンスを空調側と冷却側とで別々の位置で行うことができ、組み立てやメンテナンスを容易に行うことができる。また、この空調冷凍装置１は空調用冷媒回路７と冷却用冷媒回路９とがそれぞれ独立して形成されているので、空調と冷房のいずれか一方を運転した状態でも他方の冷媒回路のメンテナンスを行うことができる。
【００３４】
図４は前記隔壁６０の斜視図であり、図５、６及び７はそれぞれこの隔壁６０の正面図、側面図及び平面図である。このように、従来の機械室の隔壁は区画する各面について空間を遮断しており、コンデンサ室と連通する箇所について穴や切り欠き等を設けている。
【００３５】
図８は機械室９１の隔壁６０について、本発明を適用した場合における斜視図である。従来隔壁で覆われている箇所について、Ｌ字鋼等を用いて枠体６１を構成する。そして、図９に示すように、複数の板材６２をこの枠体６１からつり下げることで、隔壁を構成している。
【００３６】
板材６２はそれぞれ独立して枠体６１からつり下げられており、各板材６２の高さや幅は自由に調整することができる。配管や配線等で機械室とコンデンサ室を連通させたい場合には、連通させたい箇所の板材６２を短くすることで対応することができ、汎用性が高い。尚、板材６２をそれぞれ独立して枠体６１に固定しても、同様の効果を得ることができる。
【００３７】
さらに、メンテナンス等で機械室とコンデンサ室を連通して作業する際に、板材６２を枠体６１よりつり下げた構造により、隔壁を取り外すことなく板材６２の隙間から作業できるため作業効率を改善することができる。
【００３８】
また、各板材６２の表面を吸音性部材で覆うことで機械室９１内の騒音を吸収し、より優れた防音効果を得ることができる。吸音性部材としては、ＣＲゴムや多孔質材料などがあげられる。さらに、板材６２自体を吸音性部材で構成することで優れた防音効果を得ることができるだけでなく、鉄等の金属材料を用いた場合よりも軽量化が可能となる。
【００３９】
従来の隔壁６０はほとんどが直線や円形による単調な加工であったため、隔壁６０と配管や伝送線等の間に隙間が開いてしまうが、ＣＲゴムのような柔軟性のある材料を用いて板材６２を構成した場合、この板材が変形可能であるためこの隙間を板材６２が埋めることが可能である。
【００４０】
このように、防音効果を改善することにより、より高い出力で稼動させることができるため住宅地等に隣接した店舗においても高い能力を発揮することが可能となる。
【図面の簡単な説明】
【００４１】
【図１】本発明を適用した実施例の冷凍システムの冷媒回路を含むシステム構成を説明する図である。
【図２】従来の空調冷凍機の室外ユニットの斜視図である。
【図３】従来の室外ユニットの正面図である。
【図４】機械室の隔壁の斜視図である。
【図５】機械室の隔壁の正面図である。
【図６】機械室の隔壁の側面図である。
【図７】機械室の隔壁の平面図である。
【図８】本発明を適用した空調冷凍機の室外ユニットの斜視図である。
【図９】本発明を適用した機械室の隔壁の斜視図である。
【符号の説明】
【００４２】
１    冷凍システム
７    空調用冷媒回路
９    冷却用冷媒回路
１１  室内機
１２  室外ユニット
１３Ａ、１３Ｂ、３７、５４  圧縮機
１４、３９、４１  四方弁
１６  熱源側熱交換器
２１  カスケード熱交換器
３８  凝縮器
６０  機械室隔壁
６１  隔壁枠体
９１  機械室
【図１】
2007100985.tif 000003
【図２】
2007100985.tif 000004
【図３】
2007100985.tif 000005
【図４】
2007100985.tif 000006
【図５】
2007100985.tif 000007
【図６】
2007100985.tif 000008
【図７】
2007100985.tif 000009
【図８】
2007100985.tif 000010
【図９】
2007100985.tif 000011